(57)【要約】  シンプルな構造で薄型の照明装置を提供する。  本発明の照明装置（１）は、照明装置本体（１１）、電源部（１３）、及び、連結部材（１４）を有し、照明装置本体（１１）は、光源部を有し、電源部（１３）は、電源装置（１３２）、及び、接続端子（１３２１）を有し、電源装置（１３）及び接続端子（１３２１）は電気的に接続され、接続端子（１３２１）は、照明装置取付部に配置された配線器具に接続可能であり、照明装置本体（１１）及び電源部（１３）は、連結部材（１４）によって一定の間隔をもって連結され、照明装置本体（１１）の前記光源部及び電源部（１３）の電源装置（１３２）は、連結部材（１４）を介して、電気的に接続されている、ことを特徴とする。
2019207932.tif 000002
【特許請求の範囲】
【請求項１】
照明装置本体、電源部、及び、連結部材を有し、
前記照明装置本体は、光源部を有し、
前記電源部は、電源装置、及び、接続端子を有し、
前記電源装置及び前記接続端子は、電気的に接続され、
前記接続端子は、照明装置取付部に配置された配線器具に接続可能であり、
前記照明装置本体及び前記電源部は、前記連結部材によって一定の間隔をもって連結され、
前記照明装置本体の前記光源部及び前記電源部の前記電源装置は、前記連結部材を介して、電気的に接続されている
ことを特徴とする照明装置。
【請求項２】
前記接続端子は、前記配線器具に係合状態で接続可能である
ことを特徴とする請求項１記載の照明装置。
【請求項３】
前記照明装置本体の前記照明装置取付部側の少なくとも一部が平面形状であり、
前記電源部の前記照明装置取付部側の少なくとも一部が平面形状であり、
前記照明装置本体の前記照明装置取付部側の前記平面と、前記電源部の前記照明装置取付部側の前記平面とが、略同一平面上に位置する配置関係である
ことを特徴とする請求項１又は２記載の照明装置。
【請求項４】
前記照明装置本体は、前記光源部を搭載する光源部搭載基部を有し、
前記光源部搭載基部の前記照明装置取付部側と反対側に、前記光源が搭載され、
前記電源部は、前記電源装置を搭載する電源装置搭載基部を有し、
前記電源装置搭載基部の前記照明装置取付部側に、前記電源装置が搭載され、
前記光源部搭載基部及び前記電源装置搭載基部が前記連結部材により連結されている
ことを特徴とする請求項１から３のいずれか一項に記載の照明装置。
【請求項５】
前記光源部搭載基部、前記電源装置搭載基部及び前記連結部材は、前記三者が一体成形された一つの部材である
ことを特徴とする請求項４記載の照明装置。
【請求項６】
前記光源部搭載基部の形状が環状形態であり、
前記環状形態の中空部の中央部に前記電源装置搭載基部が配置され、
前記光源部搭載基部の内周側と、前記電源装置搭載基部の外周とが、前記連結部材で連結されている
ことを特徴とする請求項４又は５記載の照明装置。
【請求項７】
前記連結部材は、前記環状形態の中空部の中心から径方向に向かってシグモイド形状に湾曲するアームである
ことを特徴とする請求項４又は５記載の照明装置。
【請求項８】
前記電源部は、前記電源装置を覆う電源装置カバーを有し、
前記電源装置搭載基部に搭載された前記電源装置は、前記電源装置カバーにより覆われており、
前記接続端子の先端部は、前記電源装置カバーから突出している
ことを特徴とする請求項１から７のいずれか一項に記載の照明装置。
【請求項９】
前記接続端子は、前記配線器具に係合状態で固定可能であり、
さらに、解除スイッチを有し、
前記解除スイッチは、係合状態で固定された前記接続端子の固定状態を解除可能であり、
前記解除スイッチは、前記電源装置カバーの外部に配置されている
ことを特徴とする請求項４から８のいずれか一項に記載の照明装置。
【請求項１０】
前記連結部材は複数であり、
複数の前記連結部材の少なくとも一つは、その内部に導電線を有し、
前記導電線により、前記電源装置と前記光源が電気的に接続されており、
前記内部に導電線を有する連結部材は、内部に溝を有する連結部材本体及び蓋体を有し、
前記連結部材本体の溝に前記導電線が配置され、
前記溝が前記蓋体によって閉塞可能であり、
前記蓋体は、前記電源装置カバーと一体となっている
ことを特徴とする請求項８又は９記載の照明装置。
【請求項１１】
前記電源装置カバー及び前記蓋体は、前記両者が一体成形された一つの部材である
ことを特徴とする請求項１０記載の照明装置。
【請求項１２】
前記光源部は、基板及び発光素子を有し、
前記基板の上に前記発光素子が搭載されている
ことを特徴とする請求項１から１１のいずれか一項に記載の照明装置。
【請求項１３】
前記照明装置本体は、光拡散カバーを有し、
前記光拡散カバーにより前記光源部が覆われている
ことを特徴とする請求項１から１２のいずれか一項に記載の照明装置。
【発明の詳細な説明】
【技術分野】
【０００１】
本発明は、照明装置に関する。
【背景技術】
【０００２】
低消費電力、長寿命等の利点を有するＬＥＤ（Ｌｉｇｈｔ  Ｅｍｉｔｔｉｎｇ  Ｄｉｏｄｅ：発光ダイオード）を光源として用いた、天井に取り付けられる照明装置（シーリングライト）が種々提案されている（特許文献１）。
【先行技術文献】
【特許文献】
【０００３】
【特許文献１】特開２０１３−４８１６７号公報
【発明の概要】
【発明が解決しようとする課題】
【０００４】
しかしながら、近年の住宅事情等から、天井や壁への取付が容易な、薄型の照明装置が求められている。【０００５】
そこで、本発明は、薄型化が可能であり、取付が容易な照明装置を提供することを目的とする。
【課題を解決するための手段】
【０００６】
前記目的を達成するために、本発明の照明装置は、
照明装置本体、電源部、及び、連結部材を有し、
前記照明装置本体は、光源部を有し、
前記電源部は、電源装置、及び、接続端子を有し、
前記電源装置及び前記接続端子は、電気的に接続され、
前記接続端子は、照明装置取付部に配置された配線器具に接続可能であり、
前記照明装置本体及び前記電源部は、前記連結部材によって一定の間隔をもって連結され、
前記照明装置本体の前記光源部及び前記電源部の前記電源装置は、前記連結部材を介して、電気的に接続されている
ことを特徴とする。
【発明の効果】
【０００７】
本発明によれば、薄型化が可能であり、取付も容易である。
【図面の簡単な説明】
【０００８】
【図１】図１（Ａ）は、本発明の一例（実施形態１）の照明装置の平面図及び側面図であり、同図（Ｂ）は、同図（Ａ）の平面図のＩ−Ｉ方向に見た断面図であり、同図（Ｃ）は、同図（Ａ）の平面図のＩＩ−ＩＩ方向に見た断面図である。
【図２】図２は、本発明の一例（実施形態１）の照明装置の分解斜視図である。
【図３】図３は、本発明の一例（実施形態１）の照明装置の内部構造を示す一部切り欠き平面図である。
【図４】図４は、本発明の一例（実施形態１）の照明装置を天井に取り付けた状態を示す側面図である。
【図５】図５（Ａ）は、本発明の別の例（実施形態２）の照明装置の斜視図であり、同図（Ｂ）は、同図（Ａ）の照明装置を天井に取り付けた状態を示す側面図である。
【図６】図６（Ａ）は、本発明のさらに別の例（実施形態３）の照明装置の斜視図であり、同図（Ｂ）は、同図（Ａ）の照明装置を天井に取り付けた状態を示す側面図である。
【図７】図７は、本発明の一例（実施形態１）の照明装置における解除スイッチによる固定及びその解除の詳細について説明するための斜視図である。
【発明を実施するための形態】
【０００９】
本発明の照明装置の第１の態様として、例えば、前記接続端子は、前記配線器具に係合状態で接続可能であるという態様であってもよい。前記接続端子を前記配線器具に係合状態で接合可能であれば、例えば、天井にしっかりと取り付けることができる。
【００１０】
本発明の照明装置の第２の態様として、例えば、前記照明装置本体の前記照明装置取付部側の少なくとも一部が平面形状であり、前記電源部の前記照明装置取付部側の少なくとも一部が平面形状であり、前記照明装置本体の前記照明装置取付部側の前記平面と、前記電源部の前記照明装置取付部側の前記平面とが、略同一平面上に位置する配置関係であるという態様であってもよい。本態様であれば、本発明の照明装置の取付部（例えば、天井）に対し、フラットな形状となって、さらに、薄型となる。なお、本態様において、照明装置本体及び電源部において、取付部側の面は、全面が平面であることが好ましい。
【００１１】
本発明の照明装置の第３の態様として、例えば、前記照明装置本体は、前記光源部を搭載する光源部搭載基部を有し、前記光源部搭載基部の前記照明装置取付部側と反対側に、前記光源が搭載され、前記電源部は、前記電源装置を搭載する電源装置搭載基部を有し、前記電源装置搭載基部の前記照明装置取付部側に、前記電源装置が搭載され、前記光源部搭載基部及び前記電源装置搭載基部が前記連結部材により連結されているという態様であってもよい。
【００１２】
第３の態様において、前記光源部搭載基部、前記電源装置搭載基部及び前記連結部材は、前記三者が一体成形された一つの部材であってもよい。本態様であれば、部品数が少なくなり、コストを抑制でき、また製造効率も向上する。本態様において、前記光源部搭載基部、前記電源装置搭載基部及び前記連結部材の形成材料は、例えば、金属及び樹脂が挙げられるが、軽量化、加工性及びコストの面から、樹脂が好ましい。
【００１３】
また、第３の態様において、例えば、前記光源部搭載基部の形状が環状形態であり、前記環状形態の中空部の中央部に前記電源装置搭載基部が配置され、前記光源部搭載基部の内周側と、前記電源装置搭載基部の外周とが、前記連結部材で連結されているという態様であってもよい。このような態様であれば、本発明の照明装置を、小口径から大口径まで、様々なサイズとすることが可能となる。
【００１４】
第３の態様において、前記連結部材は、前記環状形態の中空部の中心から径方向に向かってシグモイド形状に湾曲するアームであってもよい。このような態様であれば、電源部の下側と照明装置本体の上側が連結されて、照明装置全体をフラットにして、さらに薄型化が可能である。
【００１５】
本発明の照明装置の第４の態様として、前記電源部は、前記電源装置を覆う電源装置カバーを有し、前記電源装置搭載基部に搭載された前記電源装置は、前記電源装置カバーにより覆われており、前記接続端子の先端部は、前記電源装置カバーから突出しているという態様であってもよい。本態様によれば、電源装置が電源装置カバーで覆われることにより、安全性に優れ、かつ、電源装置の破損及び故障を防止できる。
【００１６】
本発明の照明装置の第５の態様として、例えば、前記接続端子は、前記配線器具に係合状態で固定可能であり、さらに、解除スイッチを有し、前記解除スイッチは、係合状態で固定された前記接続端子の固定状態を解除可能であり、前記解除スイッチは、前記電源装置カバーの外部に配置されているという態様であってもよい。前記接続端子を前記配線器具に係合状態で固定可能であれば、例えば、天井にしっかりと取り付けることができ、また、解除スイッチで固定を解除できれば、取り換えも容易になる。
【００１７】
本発明の照明装置の第６の態様として、例えば、前記連結部材は複数であり、複数の前記連結部材の少なくとも一つは、その内部に導電線を有し、前記導電線により、前記電源装置と前記光源が電気的に接続されており、前記内部に導電線を有する連結部材は、内部に溝を有する連結部材本体及び蓋体を有し、前記連結部材本体の溝に前記導電線が配置され、前記溝が前記蓋体によって閉塞可能であり、前記蓋体は、前記電源装置カバーと一体となっているという態様であってもよい。本態様によれば、構造がさらにシンプルになり、かつ、部品数が少なくなり、製造効率が向上し、製造コストを低減することが可能である。
【００１８】
第６の態様において、例えば、前記電源装置カバー及び前記蓋体は、前記両者が一体成形された一つの部材であってもよい。本態様によれば、さらに、部品数を低減できる。
【００１９】
本発明の照明装置の第７の態様として、例えば、前記光源部は、基板及び発光素子を有し、前記基板の上に前記発光素子が搭載されているという態様であってもよい。前記発光素子としては、例えば、ＬＥＤ及び有機ＥＬ（Ｅｌｅｃｔｒｏ  Ｌｕｍｉｎｅｓｃｅｎｃｅ）が挙げられる。
【００２０】
本発明の照明装置の第８の態様として、前記照明装置本体は、光拡散カバーを有し、前記光拡散カバーにより前記光源部が覆われているという態様であってもよい。本態様によれば、例えば、前記光源部がＬＥＤを用いたものである場合、ＬＥＤの直線光を拡散して照明の範囲を広くすることができる。
【００２１】
つぎに、本発明の実施形態について、図１から図７を用いて説明する。本発明は、下記の実施形態によって何ら限定および制限されない。なお、図１から図７において、同一部分には、同一符号を付している。各実施形態における説明は、それぞれ、互いを援用できる。
【００２２】
（実施形態１）
図１から図３に示すように、本実施形態の照明装置１は、照明装置本体１１、電源部１３及び連結部材１４を有する。照明装置本体１１は、光源部となる基板１１３及び基板１１３に搭載されたＬＥＤ１１４と、基板１１３を搭載する光源部搭載基部１１１と、基板１１３のＬＥＤ１１４を搭載している側を覆う光拡散カバー１１２から構成されている。光源部搭載基部１１１は、例えば、板状である。電源部１３は、電源装置１３２と、電源装置１３２を搭載する電源装置搭載基部１３３と、電源装置１３２を覆う電源装置カバー１３１と、接続端子１３２１を有する。電源装置搭載基部１３３は、例えば、板状である。接続端子１３２１は、電源装置１３２に電気的に接続され、天井等の取付部にある配線器具（シーリング又はローゼット等）から供給される電流を電源装置１３２に供給する。また、電源装置カバー１３１には、解除スイッチ１３４を備える。
【００２３】
光源部搭載基部１１１は、サークル状の板状であり、天井等の取付部とは反対側の面にサークル状の基板１１３を搭載し、基板１１３の取付部と反対側の面に複数のＬＥＤ１１４が搭載されており、サークル状の基板１１３のＬＥＤ１１４を搭載した面がサークル状の光拡散カバー１１２で覆われている。
【００２４】
電源装置搭載基部１３３は、例えば、円形の板状であり、電源装置搭載基部１３３の天井等の取付部側の面に電源装置１３２が搭載されている。電源装置１３２は、接続端子１３２１から供給された交流電流を直流電流に変換してＬＥＤ１１４に供給する。電源装置１３２は、下方開口で上方に天井部がある円筒状の電源装置カバー１３１で覆われている。接続端子１３２１の先端部は、逆Ｌ字状であり、かつ電源装置カバー１３１の天井部から突出している。
【００２５】
連結部材１４は、長方形の板状（アーム）であり、幅方向（長手方向に直交する方向）両端に長手方向に延びる壁部が配置され、扁平な溝が形成されている。
【００２６】
本実施形態では、図１から図３に示すように、サークル状の光源部搭載基部１１１の中空の中心部に電源装置搭載基部１３３が配置され、３つの連結部材１４が等間隔で並んで電源装置搭載基部１３３と光源部搭載基部１１１が連結されており、電源装置搭載基部１３３、３つの連結部材１４及び光源部搭載基部１１１は一体的に形成された一つの部品である。また、連結部材１４は、サークル状の光源部搭載基部１１１の中空部の中心から径方向に向かってシグモイド形状に湾曲している。
【００２７】
３つの連結部材１４のうちの一つの連結部材１４の溝に導電線（図示せず）が配置され、導電線により電源装置１３２で変換された直流電流がＬＥＤ１１４に供給される。導電線が配置された連結部材１４の溝は、電源装置カバー１３１の円筒状側壁の下部に配置された蓋体（長方形板状でシグモイド形状）１５で閉塞され、導電線が外部に露出しないようになっている。
【００２８】
図４に、本実施形態の照明装置１を天井Ｃに取り付けた状態を示す。同図に示すように、電源装置カバー１３１の天井部から突出した接続端子１３２１の逆Ｌ字状先端部を天井Ｃに配置された配線器具２０（シーリング又はローゼット等）の差し込み口に挿入し、照明装置１全体を回転させることで、接続端子１３２１が配線器具２０と係合状態で電気的に接続し、かつ固定される。なお、本実施形態では、接続端子１３２１の先端部が逆Ｌ字状で配線器具２０と係合可能であるが、本発明は、これに限定されない。例えば、接続端子１３２１の先端は、直線状で配線器具２０に挿入可能であり、一方、照明装置１の天井Ｃ等への固定は、例えば、ネジ等の固定部材で、電源部１３又は照明装置本体１１を天井Ｃ等の取付部に取り付けて固定することで、実施してもよい。本実施形態の照明装置１を取り外す場合は、電源装置カバー１３１の側壁に設けられた解除スイッチ１３４を押して固定状態を解除し、照明装置１の全体を回転させて配線器具２０の差し込み口から接続端子１３２１の先端部を抜き出せば、照明装置１を天井Ｃから取り外すことができる。本実施形態の照明装置１における解除スイッチ１３４による固定及びその解除の詳細について、例を挙げて説明する。図７に示すように、本例では、電源部１３が、解除スイッチ１３４を押すことにより、電源装置カバー１３１内に引っ込む爪部１３２２を有する。爪部１３２２には、照明装置１の天井Ｃへの取り付け時の回転方向に対し、傾斜が設けられており、解除スイッチ１３４を押すことなく、照明装置１を天井Ｃへ取り付けることができる。爪部１３２２が、配線器具２０に設けられた凹部に嵌合することにより、固定が完了する。照明装置１を天井Ｃから取り外す時は、解除スイッチ１３４を押して、爪部１３２２を電源装置カバー１３１内に引っ込ませて固定を解除し、照明装置１全体を取り付け時とは反対方向に回転させることで、配線器具２０との係合状態を解除し、照明装置１を天井Ｃから取り外すことができる。なお、図２及び図７には、解除スイッチ１３４を押すことで、爪部１３２２が電源装置カバー１３１内に引っ込む例を示したが、本発明はこの例に限定されず、解除スイッチ１３４をスライドさせることで、爪部１３２２が電源装置カバー１３１内に引っ込むようにしてもよい。
【００２９】
本実施形態の照明装置１において、電源装置カバー１３１の天井部の全面が平面であり、光源部搭載基部１１１の天井側の全面が平面であり、かつ、電源装置カバー１３１の天井部と光源部搭載基部１１１の天井側の面が、同じ位置にある。また、電源装置搭載基部１３３の位置は、光拡散カバー１１２の天井と反対側の高さと略同じか低い位置にある。このような態様により、図４に示すように、本実施形態の照明器具１は、天井Ｃの面に対してフラットになり、かつ、薄型となって、外観がよくなる。
【００３０】
本実施形態において、連結部材１４は３本であるが、本発明は、これに限定されず、１本、２本、４本、５本等、様々な形態をとることができる。
【００３１】
本実施形態において、電源装置搭載基部１３３、連結部材１４、光源部搭載基部１１１、電源装置カバー１３１及び蓋体１５は、樹脂で形成されており、これにより軽量化が図れる。本発明において形成材料として使用される樹脂は、特に制限されず、例えば、ＰＣ（ポリカーボネート）、ＰＢＴ（ポリブチレンテレフタレート）、ＰＰ（ポリプロピレン）等が挙げられる。
【００３２】
前述のように、光源部は、サークル状の基板１１３の上に複数の発光素子１１４（例えば、ＬＥＤ）が配置されたものである。前記基板は、複数枚の基板の連結により全体がサークル状となっていてもよい。前記基板としては、例えば、絶縁材であるガラスエポキシ樹脂（ＦＲ−４）の平板からなり、表面側に銀箔によって配線パターンが形成されたものを用いることができる。また、前記配線パターンの上、すなわち、前記基板の表面には、反射層として作用する白色のレジスト層を施してもよい。なお、前記基板の材料としては、絶縁材とする場合には、前記ガラスエポキシ樹脂（ＦＲ−４）以外に、セラミックス材料、合成樹脂材料等を適用できる。また、前記基板を金属製とする場合には、アルミニウム等の熱伝導性が良好で放熱性に優れたベース板の一面に絶縁層が積層されたベース基板等を適用できる。前記発光素子は、例えば、表面実装型のＬＥＤパッケージであってもよい。前記ＬＥＤパッケージは、例えば、前記基板の周方向に、略円周状に複数列（本実施形態では３列）で搭載されている。また、前記ＬＥＤパッケージに、発光色が昼白色のものと電球色のものとを用い、これらを交互に並べて、各列の隣接する発光素子を、略等間隔をあけて配置してもよい。この昼白色と電球色のＬＥＤパッケージを流れる電流等を調整することにより、調色が可能となる。なお、前記発光素子は、必ずしも複数列に実装する必要はなく、例えば、前記基板の周方向に沿って、１列に実装してもよい。前記発光素子の列数及び個数は、例えば、所望の出力等に応じて、適宜設定できる。前記ＬＥＤパッケージは、例えば、セラミックスや合成樹脂で形成されたベースに配設されたＬＥＤチップと、このＬＥＤチップを封止するエポキシ樹脂やシリコーン樹脂等のモールド用の透光性樹脂とから構成されていてもよい。前記ＬＥＤチップは、例えば、青色光を発光する青色のＬＥＤチップである。前記透光性樹脂には、昼白色や電球色の光を出射可能とするために蛍光体が混入されている。なお、ＬＥＤは、ＬＥＤチップを直接前記基板に実装するようにしてもよいし、砲弾型のＬＥＤを実装するようにしてもよく、実装方式や形式は、特に限定されない。
【００３３】
電源装置１３２は、前述のように、光源部（例えば、基板のＬＥＤ）に電気を供給する。電源装置１３２は、例えば、交流１００Ｖ等の外部電源から供給された電流を整流する整流回路、整流された電圧を所定の電圧に変換するトランス、一定電流を光源部に供給する定電流供給回路等を備える。
【００３４】
光拡散カバー１１２は、透光性を有する材料で形成されているが、例えば、全体又は一部を乳白色にして光散乱機能を付与してもよい。光拡散カバーの材質は、特に制限されず、例えば、ＰＭＭＡ（ポリメタクリル酸メチル）等のアクリル、ＰＣ（ポリカーボネート）、ＰＳ（ポリスチレン）等の樹脂である。
【００３５】
（実施形態２）
図５（Ａ）に示すように、本実施形態の照明装置１は、天井Ｃにより近づけて取り付けることができるように、連結部材１４を、サークル状の光源部搭載基部１１１の中空部の中心から径方向に向かって天井Ｃ方向へと傾斜したアームとした以外は、実施形態１の照明装置１と同様である。図５（Ｂ）に、本実施形態の照明装置１を天井Ｃに取り付けた状態を示す。同図に示すように、本実施形態によれば、照明装置１を、天井Ｃにより近づけることが可能である。
【００３６】
（実施形態３）
図６（Ａ）に示すように、本実施形態の照明装置１は、天井Ｃから離して取り付けることができるように、連結部材１４を、サークル状の光源部搭載基部１１１の中空部の中心から径方向に向かって天井Ｃと反対方向へと傾斜したアームとした以外は、実施形態１の照明装置１と同様である。図６（Ｂ）に、本実施形態の照明装置１を天井Ｃに取り付けた状態を示す。同図に示すように、本実施形態によれば、照明装置１を、天井Ｃから離して、例えば、ＬＥＤが発する熱をより放熱しやすくすることが可能である。
【００３７】
以上、実施形態を参照して本発明を説明したが、本発明は、上記実施形態に限定されるものではない。本発明の構成や詳細には、本発明のスコープ内で当業者が理解しうる様々な変更をすることができる。
【００３８】
上記の実施形態の一部又は全部は、以下の付記のようにも記載しうるが、以下には限定されない。
（付記１）
照明装置本体、電源部、及び、連結部材を有し、
前記照明装置本体は、光源部を有し、
前記電源部は、電源装置、及び、接続端子を有し、
前記電源装置及び前記接続端子は、電気的に接続され、
前記接続端子は、照明装置取付部に配置された配線器具に接続可能であり、
前記照明装置本体及び前記電源部は、前記連結部材によって一定の間隔をもって連結され、
前記照明装置本体の前記光源部及び前記電源部の前記電源装置は、前記連結部材を介して、電気的に接続されている
ことを特徴とする照明装置。
（付記２）
前記接続端子は、前記配線器具に係合状態で接続可能である
ことを特徴とする付記１記載の照明装置。
（付記３）
前記照明装置本体の前記照明装置取付部側の少なくとも一部が平面形状であり、
前記電源部の前記照明装置取付部側の少なくとも一部が平面形状であり、
前記照明装置本体の前記照明装置取付部側の前記平面と、前記電源部の前記照明装置取付部側の前記平面とが、略同一平面上に位置する配置関係である
ことを特徴とする付記１又は２記載の照明装置。
（付記４）
前記照明装置本体は、前記光源部を搭載する光源部搭載基部を有し、
前記光源部搭載基部の前記照明装置取付部側と反対側に、前記光源が搭載され、
前記電源部は、前記電源装置を搭載する電源装置搭載基部を有し、
前記電源装置搭載基部の前記照明装置取付部側に、前記電源装置が搭載され、
前記光源部搭載基部及び前記電源装置搭載基部が前記連結部材により連結されている
ことを特徴とする付記１から３のいずれかに記載の照明装置。
（付記５）
前記光源部搭載基部、前記電源装置搭載基部及び前記連結部材は、前記三者が一体成形された一つの部材である
ことを特徴とする付記４記載の照明装置。
（付記６）
前記光源部搭載基部の形状が環状形態であり、
前記環状形態の中空部の中央部に前記電源装置搭載基部が配置され、
前記光源部搭載基部の内周側と、前記電源装置搭載基部の外周とが、前記連結部材で連結されている
ことを特徴とする付記４又は５記載の照明装置。
（付記７）
前記連結部材は、前記環状形態の中空部の中心から径方向に向かってシグモイド形状に湾曲するアームである
ことを特徴とする付記４又は５記載の照明装置。
（付記８）
前記電源部は、前記電源装置を覆う電源装置カバーを有し、
前記電源装置搭載基部に搭載された前記電源装置は、前記電源装置カバーにより覆われており、
前記接続端子の先端部は、前記電源装置カバーから突出している
ことを特徴とする付記１から７のいずれかに記載の照明装置。
（付記９）
前記接続端子は、前記配線器具に係合状態で固定可能であり、
さらに、解除スイッチを有し、
前記解除スイッチは、係合状態で固定された前記接続端子の固定状態を解除可能であり、
前記解除スイッチは、前記電源装置カバーの外部に配置されている
ことを特徴とする付記４から８のいずれかに記載の照明装置。
（付記１０）
前記連結部材は複数であり、
複数の前記連結部材の少なくとも一つは、その内部に導電線を有し、
前記導電線により、前記電源装置と前記光源が電気的に接続されており、
前記内部に導電線を有する連結部材は、内部に溝を有する連結部材本体及び蓋体を有し、
前記連結部材本体の溝に前記導電線が配置され、
前記溝が前記蓋体によって閉塞可能であり、
前記蓋体は、前記電源装置カバーと一体となっている
ことを特徴とする付記８又は９記載の照明装置。
（付記１１）
前記電源装置カバー及び前記蓋体は、前記両者が一体成形された一つの部材である
ことを特徴とする付記１０記載の照明装置。
（付記１２）
前記光源部は、基板及び発光素子を有し、
前記基板の上に前記発光素子が搭載されている
ことを特徴とする付記１から１１のいずれかに記載の照明装置。
（付記１３）
前記照明装置本体は、光拡散カバーを有し、
前記光拡散カバーにより前記光源部が覆われている
ことを特徴とする付記１から１２のいずれかに記載の照明装置。
【００３９】
この出願は、２０１８年４月２７日に出願された日本出願特願２０１８−０８５９１９を基礎とする優先権を主張し、その開示の全てをここに取り込む。
【産業上の利用可能性】
【００４０】
本発明によれば、新たな、薄型の照明装置を提供できる。このため、本発明によれば、例えば、狭い室内であっても、圧迫感なく適用できる。また、本発明によれば、例えば、居室に限られず、納戸、トイレ等の照明用途にも適用できる。
【符号の説明】
【００４１】
１        照明装置
１１      照明装置本体
１３      電源部
１４      連結部材
１５      蓋体
２０      配線器具
１１１    光源部搭載基部
１１２    光拡散カバー
１１３    基板
１１４    発光素子（ＬＥＤ）
１３１    電源装置カバー
１３２    電源装置
１３３    電源装置搭載基部
１３４    解除スイッチ
１３２１  接続端子
１３２２  爪部
【図１】
2019207932.tif 000003
【図２】
2019207932.tif 000004
【図３】
2019207932.tif 000005
【図４】
2019207932.tif 000006
【図５】
2019207932.tif 000007
【図６】
2019207932.tif 000008
【図７】
2019207932.tif 000009
【国際調査報告】
2019207932.tif 000010
2019207932.tif 000011